(57)【要約】      （修正有）【課題】より簡素で製造容易かつ測定精度が高いガス測定装置及び節電対応したガス測定方法を提供する。【解決手段】赤外線検出素子２０に到達した赤外線量に応じて、測定対象ガスの濃度が表示されるガス測定装置１００において、内部空間３１に測定対象ガスを導入することが可能な測定セル３０と、赤外線検出素子２０からの出力に基づいて内部空間３１の測定対象ガスの濃度判定を行う演算部４０と、光源１０と演算部４０とを制御する制御部６０とを備え、光源１０は、測定対象ガスにより吸収される吸収波長帯の赤外線と吸収されない非吸収波長帯の赤外線の両方を同時に発光可能であり、制御部６０は、光源１０から発せられる赤外線の発光スペクトルが連続的変化している期間内に、赤外線検出素子２０の出力を複数回取得し、該取得された出力に基づいて測定対象ガスの濃度判定のための演算を演算部４０に実行させる。【選択図】図３
2014167451.tif 000002
【特許請求の範囲】
【請求項１】
光路に導入された測定対象ガスの雰囲気で、光源から発せられた赤外線が、赤外線検出素子に到達した赤外線量に応じて、測定対象ガスの濃度が表示されるガス測定装置において、
内部空間に測定対象ガスを導入することが可能な測定セルと、
前記赤外線検出素子からの出力に基づいて前記内部空間の測定対象ガスの濃度判定を行う演算部と、
前記光源と演算部とを制御する制御部とを備え、
前記光源は、測定対象ガスにより吸収される吸収波長帯の赤外線と吸収されない非吸収波長帯の赤外線の両方を同時に発光可能であり、
前記制御部は、前記光源から発せられる赤外線の発光スペクトルが連続的変化している期間内に、前記赤外線検出素子の出力を複数回取得し、該取得された出力に基づいて測定対象ガスの濃度判定のための演算を前記演算部に実行させることを特徴とするガス測定装置。
【請求項２】
前記制御部が、前記光源から発せられる赤外線のピークの連続的変化に基づいて、前記発光スペクトルの連続的変化を制御することを特徴とする請求項１に記載のガス測定装置。
【請求項３】
前記制御部が、前記光源の温度の連続的変化に基づいて、前記発光スペクトルの連続的変化を制御することを特徴とする請求項１又は２に記載のガス測定装置。
【請求項４】
前記制御部が、前記光源が点灯開始制御されてからの所定期間内と、前記光源が消灯制御されてから所定期間内との、いずれかの期間内に、前記発光スペクトルの連続的変化を制御することを特徴とする請求項１、２又は３に記載のガス測定装置。
【請求項５】
前記演算部が、前記光源が未発光時の赤外線検出素子の出力に基づいて前記光源以外からの赤外線輻射によるオフセットを相殺することを特徴とする請求項１乃至４のいずれかに記載のガス測定装置。
【請求項６】
前記測定対象ガスが、ＣＯ２であることを特徴とする請求項１乃至５のいずれかに記載のガス測定装置。
【請求項７】
前記光源と前記赤外線検出素子との間の光路に介挿された光学フィルタをさらに備え、該光学フィルタは、前記吸収波長帯及び非吸収波長帯の赤外線に対する透過率が、最大透過率の５０％以上の透過率を持つ連続した波長帯域に含まれることを特徴とする請求項１乃至６のいずれかに記載のガス測定装置。
【請求項８】
前記制御部が、前記発光スペクトルが連続的変化している期間内に、赤外線検出素子からの出力を取得するタイミングを制御することを特徴とする請求項１乃至７のいずれかに記載のガス測定装置。
【請求項９】
前記制御部が、前記光源の温度又は光源の点灯開始後経過時間と、消灯制御後経過時間との、いずれかに基づいて赤外線検出素子からの出力を取得するタイミングを制御することを特徴とする請求項８に記載のガス測定装置。
【請求項１０】
光路に導入された測定対象ガスの雰囲気で、光源から発せられた赤外線が、赤外線検出素子に到達した赤外線量に応じて、測定対象ガスの濃度として表示されるようにしたガス測定方法において、
前記吸収波長帯の赤外線と、前記非吸収波長帯の赤外線とを、前記光源から両方同時に発する発光工程と、
前記光源から発せられた赤外線の発光スペクトルの連続的変化の期間に赤外線検出素子からの出力を複数回取得して出力群を得る発光時出力取得工程と、
前記出力群に基づいて測定対象ガスの濃度判定のための演算を実行するガス濃度演算工程とを有することを特徴とするガス測定方法。
【請求項１１】
前記発光スペクトルの連続的変化は、前記光源の温度の連続的変化によることを特徴とする請求項１０に記載のガス測定方法。
【請求項１２】
前記光源の未発光時に取得された赤外線検出素子の出力を取得する未発光時出力取得工程を更に有し、
前記ガス濃度演算工程は、前記未発光時出力取得工程により前記光源の未発光時に取得された赤外線検出素子の出力と、前記出力群とに基づいて前記演算を実行することを特徴とする請求項１１に記載のガス測定方法。
【請求項１３】
前記演算は、前記出力群に関する下記式（１）により導出された透過率Ａλｉ（ｃ）に基づいて実行されることを特徴とする請求項１０、１１又は１２に記載のガス測定方法。
【数１】
2014167451.tif 000017
（ただし、Ｉａｌｌ（Ｔ，ｃ）は光源温度Ｔ［℃］、ガス濃度ｃにおける赤外線検出素子の出力群（Ｉａｌｌ（Ｔ，Ｃ））を示し、Ａλｉ（ｃ）はガス濃度ｃにおける波長帯λｉの赤外線の透過率を示し、Ｉλｉ（Ｔ）はガス濃度ゼロ、温度Ｔ［℃］における波長帯λｉの赤外線に対する赤外線検出素子の出力を示し、ｎは赤外線検出素子に入射する赤外線スペクトルの範囲を分割する数で２以上の整数を示す。）
【請求項１４】
前記出力群（Ｉａｌｌ（Ｔ，Ｃ））の数が、前記ｎ以上であり、前記式（１）で表される前記出力群（Ｉａｌｌ（Ｔ，Ｃ））から最小二乗法を用いて各波長帯λｉにおける赤外線の透過率Ａλｉ（ｃ）を導出することを特徴とする請求項１３に記載のガス測定方法。
【請求項１５】
前記出力群（Ｉａｌｌ（Ｔ，Ｃ））の数が、前記ｎに等しく、前記式（１）で表される出力群（Ｉａｌｌ（Ｔ，Ｃ））の逆行列を解くことにより各波長帯λｉにおける赤外線の透過率Ａλｉ（ｃ）を導出することを特徴とする請求項１３に記載のガス測定方法。
【請求項１６】
前記透過率Ａλｉ（ｃ）において、ガス吸収のない波長帯域λｒｅｆの透過率Ａλｒｅｆ（ｃ）を参照用パラメータとして、他の波長帯の透過率との比率を求める演算を実行することを特徴とする請求項１３に記載のガス測定方法。
【発明の詳細な説明】
【技術分野】
【０００１】
本発明は、ガス測定装置及びガス測定方法に関し、より詳細には、光路に導入された測定対象ガスの雰囲気で、光源から発せられた赤外線が、赤外線検出素子に到達した赤外線量に応じて、測定対象ガスの濃度として表示されるガス測定装置及びガス測定方法に関する。
【背景技術】
【０００２】
従来から大気中のガスの測定を行う赤外線ガス測定装置として、ガスの種類によって吸収される赤外線の波長が異なることを利用し、この吸収量を検出することによりそのガス濃度を測定する非分散赤外吸収型（Ｎｏｎ−Ｄｉｓｐｅｒｓｉｖｅ  Ｉｎｆｒａｒｅｄ）ガス測定装置が知られている。このガス測定装置は、検出するガスが吸収特性を持つ波長に限定した赤外線を透過するフィルタ（透過部材）と赤外線センサを組み合わせ、その吸収量を測定することによってガスの濃度を測定するようにしたものである。
【０００３】
このガス測定装置は、測定対象のガスによる赤外線の吸収が生じない波長域の赤外線を選択的に透過する参照用フィルタと、測定対象のガスによる赤外線の吸収が生じる波長域の赤外線を選択的に透過する測定用フィルタをそれぞれ配置した赤外線検出素子を複数配置し、それぞれの赤外線検出素子からの出力信号に基づいて測定対象のガスの有無や濃度を検出している。
【０００４】
例えば、特許文献１に記載のものは、検出精度や出力の安定性を向上させたガス測定装置及びＣＯ２検出方法である。以下、これらも含めて、ガス測定装置及びガス測定方法ともいう。その動作原理は、波長による吸収度合いの差異を、ＣＯ２検出に応用したものである。光源であるセラミックヒータから放射された赤外線において、波長４．３μｍ付近の赤外線は、気体容器内のＣＯ２により吸収されて、その放射強度が低下する。一方、波長３．９μｍの赤外線は、ＣＯ２による吸収はなく、その放射強度が低下することはない。
【０００５】
そして、ガス測定装置の気体容器内を通過した異なる波長を含む赤外線から、波長４．３μｍと波長３．９μｍとの２波を、２波それぞれに対応した通過帯域を有する２種類の光学フィルタで濾波選別する。これら波長の異なる赤外線それぞれの放射強度に基づいて、気体容器内のＣＯ２の濃度が算出される。セラミックヒータの放射強度分布は、ＣＯ２の赤外線吸収スペクトルを含む、２μｍ〜５０μｍの波長領域でブロードであり、ＣＯ２の赤外線吸収スペクトル付近の波長領域で十分な放射強度を有する。したがって、光源にセラミックヒータを用いたガス測定装置の検出精度及び出力の安定性は向上される。
【０００６】
図１は、従来のガス測定装置を説明するための構成図である。このガス測定装置３００は、内部空間３３１に測定対象ガス（図１のＧＡＳ）を導入することが可能な測定セル３３０により外形が構成されている。また、その測定セル３３０の内部の一端に配置されて赤外線（図１のＩＲ）を発光する１つの光源３１０から、内部の他端に並べて配置された２つの赤外線検出素子３２１，３２２までの間に、それぞれ形成された光路３３２，３３３を有している。ガス測定装置３００は、これらの光路３３２，３３３に、それぞれ介挿された２種類の異なる光学フィルタ３５１，３５２と、赤外線検出素子３２１，３２２からの出力に基づいて、内部空間３３１に導入された測定対象ガスの濃度判定を行う演算部３４０とをさらに備えて構成されている。
【０００７】
図２は、図１の内部空間のＣＯ２雰囲気における赤外線透過スペクトル例（波長帯域：２．５μｍ〜８μｍ）の図である。この赤外線透過スペクトル例の特定帯域、すなわち、波長４．２〜４．４μｍの帯域（以下、ＣＯ２吸収帯域ともいう）において、ＣＯ２による赤外線の吸収が発生し、赤外線の透過率が局所的に低下することが確認できる。
【０００８】
ガス測定装置３００では、ＣＯ２吸収帯域の赤外線を選択的に透過する光学フィルタ３５１を有する第一の赤外線検出素子３２１と、ＣＯ２吸収帯域以外の赤外線を選択的に透過する光学フィルタ３５２を有する第二の赤外線検出素子３２２との２組を用いている。ＣＯ２の濃度に応じて第一の赤外線検出素子の出力ＩＣＯ２は変化するが、第二の赤外線検出素子３２２の出力Ｉｒｅｆは変化しないため、それらの出力の差や比に基づいてＣＯ２の濃度を測定することが可能になる。
具体的例としては、下記式に基づき、ＣＯ２濃度を導出することが可能である。
【０００９】
【数１】
2014167451.tif 000003
【００１０】
（ＣＣＯ２：ＣＯ２濃度、εＣＯ２：ＣＯ２の吸収係数、ｌ：光路長）
また、例えば、特許文献２に記載のものは、組み立て精度が確保され、小型で低コストの波長選択型赤外線検出素子及びそれを用いた赤外線ガス分析計である。この赤外線ガス分析計（以下、単にガス測定装置ともいう）は、光源からの赤外線を波長選択的に透過させる波長選択フィルタと、この波長選択フィルタを透過した赤外線を検出する赤外線検出素子とを一体に形成した複数のミラーを用いた波長選択フィルタを赤外線検出素子と一体形成したものである。
【００１１】
また、特許文献３に記載のものは、１組の光学フィルタ及び赤外線検出素子でガス濃度を測定することが可能な濃度測定装置（以下、単にガス測定装置という）である。このガス測定装置は、２つの異なる波長の赤外線を、離散的かつ選択的に発するように制御される光源と、その光源から発せられた赤外線を選択的に透過する光学フィルタとを用いることにより、フィルタ及び赤外線検出素子を１組で足りるようにしたものである。なお、このガス測定装置は、検出用赤外線に波長４．２５７μｍ、参照用赤外線に波長１．５μｍが採用されている。
【先行技術文献】
【特許文献】
【００１２】
【特許文献１】特開平９−３３４３１号公報
【特許文献２】特開２００１−２２８０２２号公報
【特許文献３】特開２００５−４９１７１号公報
【発明の概要】
【発明が解決しようとする課題】
【００１３】
上述した特許文献１に開示されたガス測定装置、あるいは図１に示された従来のガス測定装置では、光学フィルタ及び赤外線検出素子は、個別素子の組み合わせであるため、両者を精度良く位置合わせすることが困難であった。その結果、組み立て精度のばらつきによって、測定器間で測定誤差が発生しやすかった。また、複数の光学フィルタ及び赤外線検出素子を用いるため、装置の大型化や高コスト化が不可避であった。
【００１４】
上述した特許文献２に開示されたガス測定装置、一体形成により位置合わせの精度の問題はある程度低減されるものの、赤外線検出素子を複数用いるので小型化が困難である。そればかりか、このガス測定装置の測定精度を維持するためには、複数のミラーを用いた波長選択フィルタの光学特性を揃えて維持することが不可欠である。このように構成が簡素でないという問題があった。
【００１５】
また、上述した特許文献３に開示されたガス測定装置では、参照用赤外線と検出用赤外線とを離散的かつ選択的に発するように制御される光源が必要であり、その制御に相当の電力を要するという欠点があった。そればかりか、このガス測定装置の測定精度を維持するためには、検出用赤外線の波長域と参照用赤外線の波長域と、それぞれ離散した波長域の赤外線とを、選択的に透過する光学フィルタの光学特性を揃えて維持することが不可欠である。この光学フィルタは、特殊な部材であり一般的でないため製造が容易でないという問題があった。
本発明は、このような問題に鑑みてなされたもので、その目的とするところは、より簡素で製造容易かつ測定精度が高いガス測定装置及び節電対応したガス測定方法を提供することにある。
【課題を解決するための手段】
【００１６】
本発明は、このような目的を達成するためになされたもので、請求項１に記載の発明は、光路（３２）に導入された測定対象ガスの雰囲気で、光源（１０）から発せられた赤外線が、赤外線検出素子（２０）に到達した赤外線量に応じて、測定対象ガスの濃度が表示されるガス測定装置（１００）において、内部空間（３１）に測定対象ガスを導入することが可能な測定セル（３０）と、前記赤外線検出素子（２０）からの出力に基づいて前記内部空間（３１）の測定対象ガスの濃度判定を行う演算部（４０）と、前記光源（１０）と演算部（４０）とを制御する制御部（６０）とを備え、前記光源（１０）は、測定対象ガスにより吸収される吸収波長帯の赤外線と吸収されない非吸収波長帯の赤外線の両方を同時に発光可能であり、前記制御部（６０）は、前記光源（１０）から発せられる赤外線の発光スペクトルが連続的変化している期間内に、前記赤外線検出素子（２０）の出力を複数回取得し、該取得された出力に基づいて測定対象ガスの濃度判定のための演算を前記演算部（４０）に実行させることを特徴とする。（図３）
【００１７】
また、請求項２に記載の発明は、請求項１に記載の発明において、前記制御部（６０）が、前記光源（１０）から発せられる赤外線のピークの連続的変化に基づいて、前記発光スペクトルの連続的変化を制御することを特徴とする。（図３、図５、図６乃至図８）
また、請求項３に記載の発明は、請求項１又は２に記載の発明において、前記制御部（６０）が、前記光源（１０）の温度の連続的変化に基づいて、前記発光スペクトルの連続的変化を制御することを特徴とする。（図３、図５、図６乃至図８）
【００１８】
また、請求項４に記載の発明は、請求項１、２又は３に記載の発明において、前記制御部（６０）が、前記光源（１０）が点灯開始制御されてからの所定期間内と、前記光源（１０）が消灯制御されてから所定期間内との、いずれかの期間内に、前記発光スペクトルの連続的変化を制御することを特徴とする。（図３、図５、図６乃至図８）
また、請求項５に記載の発明は、請求項１乃至４のいずれかに記載の発明において、前記演算部（４０）が、前記光源（１０）が未発光時の赤外線検出素子（２０）の出力に基づいて前記光源（１０）以外からの赤外線輻射によるオフセットを相殺することを特徴とする。（図３、図５、図６乃至図８）
【００１９】
また、請求項６に記載の発明は、請求項１乃至５のいずれかに記載の発明において、前記測定対象ガスが、ＣＯ２であることを特徴とする。（図５、図７、図８）
また、請求項７に記載の発明は、請求項１乃至６のいずれかに記載の発明において、前記光源（１０）と前記赤外線検出素子（２０）との間の光路（３２）に介挿された光学フィルタ（５０）をさらに備え、該光学フィルタ（５０）は、前記吸収波長帯及び非吸収波長帯の赤外線に対する透過率が、最大透過率の５０％以上の透過率を持つ連続した波長帯域に含まれることを特徴とする。（図５）
【００２０】
また、請求項８に記載の発明は、請求項１乃至７のいずれかに記載の発明において、前記制御部（６０）が、前記発光スペクトルが連続的変化している期間内に、赤外線検出素子（２０）からの出力を取得するタイミングを制御することを特徴とする。（図３、図５、図６乃至図８）
また、請求項９に記載の発明は、請求項８に記載の発明において、前記制御部（６０）が、前記光源（１０）の温度又は光源（１０）の点灯開始後経過時間と、消灯制御後経過時間との、いずれかに基づいて赤外線検出素子（２０）からの出力を取得するタイミングを制御することを特徴とする。（図３、図５）
【００２１】
また、請求項１０に記載の発明は、光路（３２）に導入された測定対象ガスの雰囲気で、光源（１０）から発せられた赤外線が、赤外線検出素子（２０）に到達した赤外線量に応じて、測定対象ガスの濃度として表示されるようにしたガス測定方法において、前記吸収波長帯の赤外線と、前記非吸収波長帯の赤外線とを、前記光源（１０）から両方同時に発する発光工程（Ｓ１０）と、前記光源（１０）から発せられた赤外線の発光スペクトルの連続的変化の期間に赤外線検出素子（２０）からの出力を複数回取得して出力群（Ｉａｌｌ（Ｔ，Ｃ））を得る発光時出力取得工程（Ｓ２０）と、前記出力群（Ｉａｌｌ（Ｔ，Ｃ））に基づいて測定対象ガスの濃度判定のための演算を実行するガス濃度演算工程（Ｓ３０）とを有することを特徴とする。（図４）
【００２２】
また、請求項１１に記載の発明は、請求項１０に記載の発明において、前記発光スペクトルの連続的変化は、前記光源（１０）の温度の連続的変化によることを特徴とする。（図３，図５，図６乃至図８）
また、請求項１２に記載の発明は、請求項１１に記載の発明において、前記光源（１０）の未発光時に取得された赤外線検出素子（２０）の出力を取得する未発光時出力取得工程（Ｓ２５）を更に有し、前記ガス濃度演算工程（Ｓ３０）は、前記未発光時出力取得工程（Ｓ２５）により前記光源（１０）の未発光時に取得された赤外線検出素子（２０）の出力と、前記出力群（Ｉａｌｌ（Ｔ，Ｃ））とに基づいて前記演算を実行することを特徴とする。（図４）
また、請求項１３に記載の発明は、請求項１０、１１又は１２に記載の発明において、前記演算は、前記出力群（Ｉａｌｌ（Ｔ，Ｃ））に関する下記式（１）により導出された透過率Ａλｉ（ｃ）に基づいて実行されることを特徴とする。
【００２３】
【数２】
2014167451.tif 000004
【００２４】
（ただし、Ｉａｌｌ（Ｔ，ｃ）は光源温度Ｔ［℃］、ガス濃度ｃにおける赤外線検出素子（２０）の出力群（Ｉａｌｌ（Ｔ，Ｃ））を示し、Ａλｉ（ｃ）はガス濃度ｃにおける波長帯λｉの赤外線の透過率を示し、Ｉλｉ（Ｔ）はガス濃度ゼロ、温度Ｔ［℃］における波長帯λｉの赤外線に対する赤外線検出素子（２０）の出力を示し、ｎは赤外線検出素子（２０）に入射する赤外線スペクトルの範囲を分割する数で２以上の整数を示す。）
また、請求項１４に記載の発明は、請求項１３に記載の発明において、前記出力群（Ｉａｌｌ（Ｔ，Ｃ））の数が、前記ｎ以上であり、前記式（１）で表される前記出力群（Ｉａｌｌ（Ｔ，Ｃ））から最小二乗法を用いて各波長帯λｉにおける赤外線の透過率Ａλｉ（ｃ）を導出することを特徴とする。
【００２５】
また、請求項１５に記載の発明は、請求項１３に記載の発明において、前記出力群（Ｉａｌｌ（Ｔ，Ｃ））の数が、前記ｎに等しく、前記式（１）で表される出力群（Ｉａｌｌ（Ｔ，Ｃ））の逆行列を解くことにより各波長帯λｉにおける赤外線の透過率Ａλｉ（ｃ）を導出することを特徴とする。
また、請求項１６に記載の発明は、請求項１３に記載の発明において、前記透過率Ａλｉ（ｃ）において、ガス吸収のない波長帯域λｒｅｆの透過率Ａλｒｅｆ（ｃ）を参照用パラメータとして、他の波長帯の透過率との比率を求める演算を実行することを特徴とする請求項１３に記載のガス測定方法。（図８）
【発明の効果】
【００２６】
本発明によれば、より簡素で製造容易かつ測定精度が高いガス測定装置及び節電対応したガス測定方法が実現できる。
【図面の簡単な説明】
【００２７】
【図１】従来のガス測定装置を説明するための構成図である。
【図２】図１の内部空間のＣＯ２雰囲気における赤外線透過スペクトル例の図である。
【図３】本発明に係るガス測定装置の実施例１を説明するための構成図である。
【図４】図３のガス測定装置によるガス測定方法を説明するためのフローチャートを示す図である。
【図５】本発明に係るガス測定装置の実施例２を説明するための構成図である。
【図６】光源の温度別に示した赤外線の発光スペクトルの図である。
【図７】図６の発光スペクトルにおける波長３．８μｍ〜４．４μｍ付近の拡大図である。
【図８】光源温度１２００℃、ＣＯ２濃度０〜６０００ｐｐｍにおいて、赤外線検出素子に入射される赤外線量を示す図である。
【発明を実施するための形態】
【００２８】
以下、図面を参照して本発明の各実施例について説明する。
【実施例１】
【００２９】
図３は、本発明に係るガス測定装置の実施例１を説明するための構成図である。実施例１のガス測定装置１００は、光源１０と、その光源１０から発せられる赤外線を受光する赤外線検出素子２０と、内部空間３１に測定対象ガスを導入部３３から導入して導出部３４から排出することが可能な測定セル３０と、赤外線検出素子２０からの出力に基づいて内部空間３１の測定対象ガスの濃度判定を行う演算部４０と、これらを制御する制御部６０を備えて構成されている。
【００３０】
＜測定セル＞
測定セル３０は、内部空間３１に測定対象ガスを導入することが可能なものであれば特に制限されない。導入部３３及び導出部３４は、測定セル３０の内部空間３１に対する何らかの通気機能部が少なくとも合わせて一つ以上あれば良い。なお、経時的なガス濃度の測定精度向上といった観点から、ガスの導入部３３及び導出部３４をそれぞれ備えるものであることが好ましい。
【００３１】
＜光源＞
光源１０は、測定対象ガスによる吸収波長帯の赤外線と、非吸収波長帯の赤外線の両方を同時に発光可能であり、発光スペクトルを連続的に変化できるものであれば特に制限されない。例えば白熱電球や、ＭＥＭＳ（ｍｉｃｒｏ  ｅｌｅｃｔｒｏ  ｍｅｃｈａｎｉｃａｌ  ｓｙｓｔｅｍｓ）ヒーター、ＬＥＤ等が挙げられる。また、光源１０は点光源と面光源とのいずれでも構わない。
ここでいう吸収波長帯については、測定対象ガスの濃度によって赤外線透過率（以下、単に透過率ともいう）が変化する波長帯であれば良い。
【００３２】
この吸収波長帯は、測定対象ガスによって任意に決定することが可能である。例えば、測定対象ガスがＣＯ２の場合、吸収波長帯は約４．２μｍから約４．４μｍにおいて、特異的に赤外線吸収が生じる。その吸収波長帯以外の帯域から、非吸収波長帯が任意に選択される。つまり、非吸収波長帯は、約４．２μｍから約４．４μｍ以外の帯域に設定される。なお、吸収波長帯と非吸収波長帯とは、測定対象ガスの雰囲気において、透過率に大差をつける条件を満足するならば、極力近接した波長帯であることが好ましい。すなわち、単一の光源１０を用いて異なる波長帯の赤外線を発光させる場合、それらの異なる波長帯が近接している程、光源１０に対する要求性能は、より一般的なもので足りるので有利になる。その結果、光源１０には製造容易で、簡素なものを使える。また、類似した観点から、非吸収波長帯が、吸収波長帯に近接した波長帯である程、少ない計算量で濃度を導出できるなど演算が容易となる。その結果、演算部４０に対する要求性能も、より一般的かつ簡素なもので足りるので有利になる。
【００３３】
＜赤外線検出素子＞
赤外線検出素子２０は、光源１０が発する赤外線に対する感度を有するものであれば特に制限されない。その赤外線検出素子１０には、焦電センサ（Ｐｙｒｏｅｌｅｃｔｒｉｃ  ｓｅｎｓｏｒ）、サーモパイル（ｔｈｅｒｍｏｐｉｌｅ：熱電堆）、ボロメータ（ｂｏｌｏｍｅｔｅｒ）等の熱型赤外線センサや、量子型赤外線センサ等が好適である。
本実施例１のガス測定装置１００は、単一の赤外線検出素子２０により、光源２０の発光スペクトルが連続的に変化している期間中に、光源２０が発する赤外線に含まれる前記吸収波長帯及び非吸収波長帯に対する赤外線検出素子２０の出力を少なくとも２回以上取得する。これら取得された２回以上の出力に基づいて測定対象ガスの濃度判定ができるため、前記赤外線検出素子２０は１つでよく、測定セル３０をより小型化することが可能になる。
【００３４】
＜演算部＞
演算部４０は、光源１０から発せられる赤外線の発光スペクトルが連続的に変化する期間内に、赤外線検出素子２０の出力を少なくとも２回以上取得し、その取得された出力に基づいて測定対象ガスの濃度判定のための演算を実行することが可能なものであれば特に制限されない。その演算部４０には、例えば、アナログＩＣ、デジタルＩＣ及びＣＰＵ（Ｃｅｎｔｒａｌ  Ｐｒｏｃｅｓｓｉｎｇ  Ｕｎｉｔ）等が好適である。なお、制御部６０に、演算部４０の機能が含まれていても構わない。
【００３５】
演算部４０は、制御部６０により、光源１０とともに総合制御され、赤外線検出素子２０から取得された出力に基づいて、各波長帯における透過率Ａλｉを導出する。それから、濃度判定するために、下記（１）〜（４）に例示する演算処理を実行することが有効である。
（１）所望の濃度αにおける透過率Ａλｉ（α）を閾値として記憶しておき、その閾値と導出された透過率Ａλｉを比較することにより、空間中の測定対象ガス、例えば、ＣＯ２に対する濃度が閾値以上であるか否かを判定する演算処理。
（２）各濃度における透過率を記憶しておき、それらの値と導出された透過率Ａλｉを比較することにより空間中の測定対象ガス、例えば、ＣＯ２濃度を定量的に判定する演算処理。
【００３６】
（３）また、光源１０が未発光時の赤外線検出素子２０の出力に基づいて光源１０以外からの赤外線輻射によるオフセットを相殺する演算処理。
（４）また、光源２０の発光中、赤外線検出素子２０から２種類の出力を、少なくとも各１回ずつ合計２回以上取得する。これらの出力は、測定対象ガスに対する吸収波長帯の出力と、非吸収波長帯の出力との２種類である。これら取得された２種類の出力に基づいて測定対象ガスの濃度判定のために実行する演算処理。この演算処理によれば、吸収波長帯と、非吸収波長帯とは、光源２０の経時劣化に伴って、測定対象ガスの無い条件に限れば、それぞれの出力が、概ね均等に減少するので、経時劣化に伴う出力減少分も容易に補正することが可能になる。
【００３７】
＜制御部＞
制御部６０は、光源１０の発光と、演算部４０の演算処理とを、適切なタイミングを計りながら総合制御し、赤外線検出素子２０から取得された出力に基づいて、測定対象ガスの濃度判定するための演算を演算部４０に実行させる。なお、演算部４０に、制御部６０の機能が含まれていても構わない。
制御部６０は、光源１０から発せられる発光スペクトルを連続的に変化させるように制御できるほか、赤外線検出素子２０の出力を取得するタイミングを制御する機能も備えている。そして、この制御部６０は、光源１０から発せられる発光スペクトルを連続的に変化させている期間中に同期して、赤外線検出素子２０の出力を取得するように、出力取得のタイミングを制御する。このような制御部６０の機能によって、より高精度なガス濃度判定が可能になる。つまり、ガス濃度判定に必要な、異なる２種類以上の波長域の赤外線にそれぞれ対応した出力を、１組の光源１０及び赤外線検出素子２０によって、複数回に亘って取得することで、より高精度なガス濃度判定が可能になる。
【００３８】
また、制御部６０によれば、光源１０から発せられる赤外線の発光スペクトルの連続的変化は、その光源１０から発せられる赤外線のピークの連続的変化に基づいて制御することができる。
また、制御部６０によれば、上述した発光スペクトルの連続的変化は、光源１０が白熱電球や、ＭＥＭＳ（ｍｉｃｒｏ  ｅｌｅｃｔｒｏ  ｍｅｃｈａｎｉｃａｌ  ｓｙｓｔｅｍｓ）ヒーターの場合、温度の連続的変化に基づいて制御することができる。
また、制御部６０によれば、上述した発光スペクトルの連続的変化は、光源１０が点灯開始制御されてから所定期間内と、前記光源１０が消灯制御されてから所定期間内との、いずれかの期間内における赤外線の発光スペクトルの連続的変化に基づいて実行することができる。
【００３９】
また、制御部６０は、光源１０の温度又は光源１０の点灯開始後経過時間と、消灯制御後経過時間との、いずれかに基づいて赤外線検出素子２０からの出力を取得する。すなわち、光源１０がＯＮ⇔ＯＦＦされる際に、光源１０の温度変化に伴って、発光される赤外線の波長スペクトルが変化するので、複数回計測することで異なる波長スペクトルに対する赤外線検出素子２０からの出力を取得することが可能である。このように、赤外線検出素子２０からの出力を取得するタイミングを制御することで、より高精度なガス濃度判定が可能になる。
【００４０】
また、上述した光源１０の温度に基づいたタイミングの制御に関し、例えば、光源１０の温度に基づく情報をモニタリングする方法がある。ここで、タングステンフィラメント球の光源１０を例示する。タングステンの温度と電気抵抗は相関関係を有するため、タングステンの電気抵抗を、制御部６０が、モニタリングすることにより光源１０の温度情報を取得することが可能である。そのようにして取得された温度情報に基づいて、赤外線検出素子２０からの出力を取得するタイミングが制御されることにより、光源１０が所望の温度である時のタイミングで赤外線検出素子２０からの出力を取得することが可能になる。
実施例１のガス測定装置１００は、測定対象ガスの濃度を判定するための赤外線検出素子２０が一つで足りるため、図１に示した従来のガス測定装置などと比較して、節電対応することも可能になる。
このように、本発明のガス測定装置によれば、節電対応するとともに、より高い測定精度を実現できる。
【００４１】
次に、実施例１のガス測定装置１００を用いたガス測定方法について説明する。
図４は、図３のガス測定装置によるガス測定方法を説明するためのフローチャートを示す図である。本実施例１のガス測定方法は、光源１０から発せられた赤外線が赤外線検出素子２０に到達する間に、光路３２に導入された測定対象ガスによって赤外線吸収が生じることを利用したガス測定方法である。このガス測定方法には、図４に示すように、発光工程（Ｓ１０）と、発光時の出力取得工程（Ｓ２０）と、ガス濃度演算工程（Ｓ３０）とを有する。
【００４２】
まず、発光工程（Ｓ１０）により、吸収波長帯の赤外線と、非吸収波長帯の赤外線とを、光源１０から両方同時に発する。また、発光時出力取得工程（Ｓ２０）により、光源１０から発せられた赤外線の発光スペクトルの連続的変化の期間に赤外線検出素子２０からの出力を複数回取得して出力群Ｉａｌｌ（Ｔ，Ｃ）を得る。そして、ガス濃度演算工程（Ｓ３０）により、出力群Ｉａｌｌ（Ｔ，Ｃ）に基づいて演算を実行することによって、測定対象ガスの濃度を判定する。上述したガス測定方法によれば、単一の赤外線検出素子２０からの出力に基づいて、高精度なガス濃度判定を行うことが可能である。
【００４３】
なお、発光スペクトルの連続的変化は、光源１０の温度の連続的変化に基づいて制御部６０により制御されるようにしても良い。さらに、光源１０以外からの赤外線輻射によるオフセットを低減する観点から、光源１０の未発光時に取得された赤外線検出素子２０の出力を取得する未発光時出力取得工程（Ｓ２５）を更に備え、ガス濃度演算工程（Ｓ３０）では、未発光時出力取得工程（Ｓ２５）により光源１０の未発光時に取得された赤外線検出素子２０の出力と、発光時出力取得工程（Ｓ２０）に複数回取得された出力群Ｉａｌｌ（Ｔ，Ｃ）とに基づいて演算を実行することが好ましい。
【００４４】
実施例１のガス測定装置１００を用いて、工程（Ｓ２０）乃至工程（Ｓ３０）を実行するガス測定方法によれば、測定対象ガスの濃度を判定するための赤外線検出素子２０が一つで足りるため、図１に示した従来のガス測定装置を用いガス測定方法などと比較して、節電対応することも可能になる。
本発明のガス測定方法によれば、節電対応するとともに、より高い測定精度を実現できる。
【実施例２】
【００４５】
図５は、本発明のガス測定装置の実施例２を説明するための構成図である。実施例２のガス測定装置２００において、測定対象ガス（図５のＧＡＳ）は、ＣＯ２を示し、符号５０は光学フィルタを示し、それ以外の符号は図３と同じものを示す。つまり、実施例２は実施例１の条件をいくつか限定した内容であるため、実施例１について説明した内容は、そのまま実施例２に適用した上で、実施例２に固有の説明を加える。
【００４６】
＜光学フィルタ＞
光学フィルタ５０を、光源１０と赤外線検出素子２０との間の光路３２に介挿することで、より高精度なガス濃度判定が可能になる。この光学フィルタ５０は、最大透過率の５０%以上の透過率を持つ連続した波長帯域に吸収波長帯と非吸収波長帯を含むものが好ましい。
本実施例２のガス測定装置２００に用いられた光学フィルタ５０は、波長３．８μｍから４．４μｍにおける透過率が１００％であり、それ以外の波長帯の透過率が０％のバンドパスフィルタである。
【００４７】
＜光源＞
光源１０から出力される赤外線は、プランクの放射則に従って、光源温度に依存した赤外線を出力するものとする。この光源１０から発せられる赤外線の発光スペクトルは、制御部６０によって連続的変化するように制御される。
＜制御部＞
制御部６０は、光源１０の温度が連続的に変化することに基づいて、光源１０の発光スペクトルを連続的に変化させるように制御する。なお、発光スペクトルの連続的変化に関する制御方法はこれに限定されず、他の制御方法でも構わない。
【００４８】
＜プランクの放射則に従った赤外線の発光スペクトル＞
図６は、光源の温度別に示した赤外線の発光スペクトルの図である。発光スペクトルは、光源１０の各温度におけるプランクの放射則に従う。図７は、図６の発光スペクトルにおける波長３．８μｍ〜４．４μｍ付近の拡大図である。以下実施例説明のために、波長３．８μｍ〜４．０μｍを波長帯をλ１、波長４．０μｍ〜４．２μｍの波長帯をλ２、波長４．２μｍ〜４．４μｍの波長帯をλ３と称する。
【００４９】
図８は、光源温度１２００℃、ＣＯ２濃度３０００ｐｐｍにおいて、赤外線検出素子に入射される赤外線量を示す図である。波長帯λ１においては、ＣＯ２による赤外線吸収が発生しない為、ＣＯ２濃度０ｐｐｍの場合の出力と実質的に同一の出力となる。波長帯λ２においては、ＣＯ２による赤外線吸収が少し発生するため、ＣＯ２濃度０ｐｐｍの場合の出力と比較して少し減少する。波長帯λ３においては、ＣＯ２による赤外線吸収が多く発生するため、ＣＯ２濃度０ｐｐｍの場合の出力と比較して、大幅に出力が減少する。
ここで、ＣＯ２濃度０ｐｐｍ、温度Ｔ℃における各波長帯λｉ赤外線検出素子からの出力をＩλ１（Ｔ）とし、ＣＯ２濃度ｃにおける各波長帯λｉの吸収係数をλｉ（ｃ）とすると、ＣＯ２濃度ｃｐｐｍ、温度Ｔ℃赤外線検出素子からの出力Ｉ（Ｔ，ｃ）は下記式（２）で表現される。
【００５０】
＜演算部＞
演算部４０で実行する演算は、実施例１と同様である。発光時出力取得工程（Ｓ２０）において、光源１０から発せられた赤外線の発光スペクトルの連続的変化の期間内に、赤外線検出素子２０からの出力を複数回取得して出力群Ｉａｌｌ（Ｔ，Ｃ）を得る。その出力群Ｉａｌｌ（Ｔ，Ｃ）に関する下記式（２）により透過率Ａλｉ（ｃ）を導出する。
【００５１】
【数３】
2014167451.tif 000005
【００５２】
（ただし、Ｉａｌｌ（Ｔ，ｃ）は光源温度Ｔ［℃］、ガス濃度ｃにおける赤外線検出素子（２０）の出力群（Ｉａｌｌ（Ｔ，Ｃ））を示し、Ａλｉ（ｃ）はガス濃度ｃにおける波長帯λｉの赤外線の透過率を示し、Ｉλｉ（Ｔ）はガス濃度ゼロ、温度Ｔ［℃］における波長帯λｉの赤外線に対する赤外線検出素子（２０）の出力を示し、ｎは赤外線検出素子（２０）に入射する赤外線スペクトルの範囲を分割する数で２以上の整数を示す。）
本実施例２に当てはめると、ｎ＝３、Ｔ＝１０００，１１００，１２００℃である。
そして、光源の温度が１０００℃、１１００℃、１２００℃のそれぞれにおける赤外線検出素子の出力はそれぞれ下記式（３）〜（５）で表される。
【００５３】
【数４】
2014167451.tif 000006
【００５４】
【数５】
2014167451.tif 000007
【００５５】
【数６】
2014167451.tif 000008
【００５６】
少なくとも計算に使用する光源温度の条件数とｎが同じ場合、逆行列を解くことでＣＯ２濃度に対応する透過率Ａλｉを求めることができる。すなわち、上記例では、出力群（Ｉａｌｌ（Ｔ，Ｃ））の数が、ｎと等しく、式（２）で表される出力群（Ｉａｌｌ（Ｔ，Ｃ））の逆行列を解くことにより各波長帯λｉにおける赤外線の透過率Ａλｉ（ｃ）を導出する。
そして、取得された出力群の数が、式（２）のｎと等しく、上記式（２）であらわされる出力群の光源温度が３つで、ｎが３であるため、逆行列を解くことで各波長帯における透過率Ａλｉを求めることができる。
上記式（３）〜（５）は、連立すると下記行列式（６）で表現できる。  
【００５７】
【数７】
2014167451.tif 000009
【００５８】
ここで上記式（６）を下記式（７）に置き換える。
【００５９】
【数８】
2014167451.tif 000010
【００６０】
よって求めるべき係数Ａは下記式（８）のように表現できる。
【００６１】
【数９】
2014167451.tif 000011
【００６２】
下記式（９）に示す逆行列を求める方法は、ＬＵ分解を用いる方法と、掃き出し法と、余因子を用いる方法とのいずれでも良い。
【００６３】
【数１０】
2014167451.tif 000012
【００６４】
さらに精度を高めるために、出力群（Ｉａｌｌ（Ｔ，Ｃ））の数が、ｎ以上であり、上記式（２）で表される出力群（Ｉａｌｌ（Ｔ，Ｃ））から最小二乗法を用いて各波長帯λｉにおける赤外線の透過率Ａλｉ（ｃ）を導出することが好ましい。
すなわち、取得された出力群Ｉａｌｌ（Ｔ，Ｃ）の数が、ｎ以上であり、ｎよりも多い光源温度の計測データを使用して連立させ、回帰分析を行っても良い。ここでは式（７）に従い、最小二乗法を用いて各波長帯における透過率Ａλｉ（ｃ）を算出する。最小二乗法とは単回帰式で誤差の二乗和を最小にするように各波長帯における透過率Ａλｉ（ｃ）を求める方法であり、下記式（１０）に示す擬似逆行列を使って下記式（１１）で算出できる。
【００６５】
【数１１】
2014167451.tif 000013
【００６６】
【数１２】
2014167451.tif 000014
【００６７】
このようにして導出された各波長帯における透過率Ａλｉから、空間中のＣＯ２ガスの濃度判定を行うことができる。濃度判定の方法には、実施例１で説明した演算処理（１）、（２）を実行する。
（１）所望の濃度αにおける透過率Ａλｉ（α）を閾値として記憶しておき、その閾値と導出された透過率Ａλｉを比較することにより、空間中のＣＯ２ガスに対する濃度が閾値以上であるか否かを判定する演算処理。
（２）各濃度における透過率を記憶しておき、それらの値と導出された透過率Ａλｉを比較することにより空間中のＣＯ２濃度を定量的に判定する演算処理。
【００６８】
本実施例２の透過率Ａλｉ（ｃ）において、ガス吸収のない波長帯域λｒｅｆの透過率Ａλｒｅｆ（ｃ）を参照用パラメータとして他の波長帯の透過率との比率を求める演算を採用しても良い。具体的には、赤外線検出素子からの各出力が、上記式（２）の代わりに下記式（１２）で表されることを用いる。これにより、Ａλ１（ｃ）／Ａλｒｅｆ（ｃ）、Ａλ２（ｃ）／Ａλｒｅｆ（ｃ）、Ａλ３（ｃ）／Ａλｒｅｆ（ｃ）、をそれぞれ導出することによって、ガス濃度を判定する方法である。
【００６９】
【数１３】
2014167451.tif 000015
【００７０】
この方法によれば、光源１０の経時劣化や、光学フィルタ５０への付着物等の影響によりＩａｌｌ（Ｔ、ｃ）の値が変動した場合であっても、高い判定精度を維持してガス濃度判定を行うことが可能となる。
この方法を採用した場合のガス濃度判定の動作を、本実施例２で限定した条件下で説明する。すなわち、測定対象ガスがＣＯ２であり、光源１０はタングステンフィラメント電球を用いる。この光源１０の温度の連続的変化によって、発光スペクトルが連続的変化する赤外線が、その光源１０から発せられる。そして、光学フィルタ５０は、波長３．８μｍから４．４μｍの赤外線の透過率が１００％で、それ以外の波長帯の透過率が０％のバンドパスフィルタを用いる、という条件下である。
【００７１】
本実施例２で限定した条件下において、測定対象ガスがＣＯ２であるため、３．８μｍ〜４．０μｍの波長帯λ１においては、ガスによる赤外線吸収が生じない。この波長帯λ１における赤外線の透過率Ａλ１（ｃ）をＡｒｅｆ（ｃ）とすると、上記式（１２）は下記式（１３）となる。
【００７２】
【数１４】
2014167451.tif 000016
【００７３】
この式（１３）を、上記式（３）〜（５）と同様に逆行列又は最小二乗法を用いて、Ａλ１（ｃ）／Ａλ１（ｃ），Ａλ２（ｃ）／Ａλ１（ｃ），Ａλ３（ｃ）／Ａλ１（ｃ）を、それぞれ導出すれば、ガス濃度を判定することが可能になる。
以下の条件でシミュレーションしたところ、相当に高精度な判定結果が得られた。すなわち、ガス濃度１０００ｐｐｍ、光源１０の温度がそれぞれ１２４０℃，１４６０℃，１６３０℃の場合において、赤外線検出素子の出力Ｉａｌｌ（Ｔ、１０００ｐｐｍ）に５％のオフセットを加えた場合、式（２）に基づいて導出されるＡλ１（１０００ｐｐｍ），Ａλ２（１０００ｐｐｍ），Ａλ３（１０００ｐｐｍ）は、設定値に対して同じく５％の誤差を有する。一方、上記式（１３）に基づいて導出されるＡλ２（１０００ｐｐｍ）／Ａλ１（１０００ｐｐｍ）は、設定値に対して０．００５％の誤差、Ａλ３（１０００ｐｐｍ）／Ａλ１（１０００ｐｐｍ）は、０．０００５％の誤差に抑制されることが確認された。つまり、上記式（１３）に基づいて導出される判定結果は、きわめて高精度であることが確認できた。
以上説明したように、本発明によれば、より簡素で製造容易かつ測定精度が高いガス測定装置及び節電対応したガス測定方法を実現できる。
【産業上の利用可能性】
【００７４】
本発明は、光路に導入された測定対象ガスの雰囲気で、光源から発せられた赤外線が赤外線検出素子に到達した赤外線量に応じて出力される電気信号により測定対象ガスの濃度として表示するガス測定装置及びガス測定方法に関し、本発明のガス測定装置及びガス測定方法は、光源から発せられる赤外線の発光スペクトルが連続的変化している期間内に、赤外線検出素子の出力を複数回取得し、該取得された出力に基づいて測定対象ガスの濃度を、きわめて高精度に判定するので、ＣＯ２に代表されるガスの濃度判定に好適である。
【符号の説明】
【００７５】
１０  光源
２０，３２１，３２２  赤外線検出素子、
３０，３３０  測定セル
３１，３３１  内部空間
４０  演算部
５０，３５１，３５２  光学フィルタ
１００，２００，３００  ガス測定装置
【図１】
2014167451.tif 000018
【図２】
2014167451.tif 000019
【図３】
2014167451.tif 000020
【図４】
2014167451.tif 000021
【図５】
2014167451.tif 000022
【図６】
2014167451.tif 000023
【図７】
2014167451.tif 000024
【図８】
2014167451.tif 000025